(57)【要約】【課題】  スペーサに付着していたゴミが、撮像素子と光学部材の間の空間内を移動して撮像素子や光学部材に付着しないようにする。【解決手段】  撮影レンズの透過光束を受光して電気的画像信号に変換する撮像素子２と、撮影レンズと撮像素子との間に配設される光学部材１と、光学部材１と撮像素子２の各非有効領域外部分に挟持され、両者間に空間ＳＰを形成するスペーサ３とを有し、スペーサ３の少なくとも上記空間に面する部位ａ１に粘着性を持たせる。例えば、揮発性の溶剤に接着剤を溶かした溶液を部位３ａ１に施してもよいし、もともと粘着性のあるゴム部材でスペーサを構成してもよい。【選択図】        図６
2005217546.tif 000002
【特許請求の範囲】
【請求項１】
撮影レンズの透過光束を受光して電気的画像信号に変換する撮像素子と、
前記撮影レンズと前記撮像素子との間に配設される光学部材と、
該光学部材と撮像素子の各非有効領域外部分に挟持され、両者間に空間を形成するスペーサとを有し、
該スペーサの少なくとも前記空間に面する部位に粘着性を持たせたことを特徴とする電子カメラ。
【請求項２】
揮発性の溶剤に接着剤を溶かした溶液を、前記スペーサの少なくとも前記空間に面する部位に施したことを特徴とする請求項１に記載の電子カメラ。
【請求項３】
粘着性を有するゴムで前記スペーサを構成したことを特徴とする請求項１に記載の電子カメラ。
【請求項４】
撮影レンズの透過光束を受光して電気的画像信号に変換する撮像素子と、
前記撮影レンズと前記撮像素子との間に配設される光学部材とを有し、
該光学部材の周囲には、該光学部材の光入射面よりも前記撮像素子側に後退した面が少なくとも１箇所に形成され、その後退した面に粘着性を持たせたことを特徴とする電子カメラ。
【発明の詳細な説明】
【技術分野】
【０００１】
本発明は電子カメラ、特に撮像素子や光学部材に対するゴミ対策を講じたものに関する。
【背景技術】
【０００２】
電子カメラは、撮影レンズを透過した撮影光束をＣＣＤやＣＭＯＳ等の撮像素子で受光し、その光電変換出力を画像データに変換して記録媒体に記録する。撮像素子と撮影レンズとの間には、光学ローパスフィルタ（ＯＬＰＦ）が配置されるものが多い。かかるカメラでは、撮像素子や光学ローパスフィルタに塵埃などのゴミが付着すると、そのゴミが撮影画像に写り込み、画像の見栄えが低下する。特にレンズ交換可能な電子カメラでは、レンズ交換時にレンズマウントの開口からカメラボディ内に外部のゴミが入り込み易く、またシャッタや絞り制御機構などのメカ的な作動部からもゴミが発生し易い。
【０００３】
上記光学ローパスフィルタを備えたカメラでは、フィルタと撮像素子との隙間を密閉空間としてゴミの侵入を阻止するとともに、光学部材の表面にゴミが付着した場合にこれを清掃によって取り除ける構成とし、さらに取り除いたゴミを捕捉する部材（粘着テープなど）を設けたものがある（例えば、特許文献１参照）。光学部材の清掃は、サービスセンタに依頼してもユーザー自身が行っても良いが、いずれの場合もカメラを清掃モード（ミラーおよびシャッタをそれぞれアップ状態，開状態に保持するモード）とし、マウント開口から清掃部材を挿入してローパスフィルタの表面に付着したゴミを払い去る。
【０００４】
【特許文献１】特開２００３−１５６７８７号公報
【特許文献２】特開２００２−１２２９０２号公報
【発明の開示】
【発明が解決しようとする課題】
【０００５】
光学ローパスフィルタと撮像素子の間の空間は、カメラ組立後に外部のゴミが侵入する可能性は低いものの、組立時にゴミが入り込んでしまうことがあり得る。組立て時には、事前にローパスフィルタや撮像素子、さらにはそれらの間に配置されるスペーサ等に対してゴミの除去作業を行うが、完全に除去できないこともあり、スペーサ等に付着していた隠れたゴミがカメラ使用時の振動などで空間を浮遊し、撮像素子の保護ガラスやローパスフィルタの裏面に移動する可能性がある。ローパスフィルタの表面に付着したゴミであれば上記清掃モードにて比較的簡単に除去できるが、保護ガラスやローパスフィルタの裏面に付着したゴミは、カメラを分解しなければ除去できない。
【課題を解決するための手段】
【０００６】
請求項１〜３の発明にかかる電子カメラは、撮影レンズの透過光束を受光して電気的画像信号に変換する撮像素子と、撮影レンズと撮像素子との間に配設される光学部材と、光学部材と撮像素子の各非有効領域外部分に挟持され、両者間に空間を形成するスペーサとを有し、スペーサの少なくとも上記空間に面する部位に粘着性を持たせて成る。
特に請求項２の発明は、揮発性の溶剤に接着剤を溶かした溶液を、スペーサの少なくとも上記空間に面する部位に施したものである。
請求項３の発明は、粘着性を有するゴムでスペーサを構成したものである。
請求項４の発明に係る電子カメラは、撮影レンズの透過光束を受光して電気的画像信号に変換する撮像素子と、撮影レンズと撮像素子との間に配設される光学部材とを有し、光学部材の周囲に、光学部材の光入射面よりも前記撮像素子側に後退した面を少なくとも１箇所に形成し、その後退した面に粘着性を持たせて成る。
【発明の効果】
【０００７】
請求項１の発明によれば、スペーサにより光学部材と撮像素子の間に空間を設け、スペーサの少なくとも上記空間に面する部位に粘着性を持たせたので、スペーサの上記空間に面する部位に付着したゴミが撮像素子や光学部材の裏面に移動する可能性が低減され、以て画像の劣化を抑制できる。
請求項４の発明によれば、光学部材の周囲に、光学部材の光入射面よりも撮像素子側に後退した面を少なくとも１箇所に形成し、その後退した面に粘着性を持たせたので、光学部材の光入射面からその面に払い出されたゴミがそのままその面に捕捉され、再び光学部材に移動する可能性を低減でき、以て画像の劣化を防止できる。
【発明を実施するための最良の形態】
【０００８】
図１〜図６により本発明の一実施の形態を説明する。
図１は本発明に係るカメラの概略断面図であり、１０４はカメラ本体を示す。レンズ１０７を透過した撮影光束１００は、半透過性のメインミラー１０１で一部が上方に反射され、ペンタプリズム１０５を介して接眼レンズ１０６にて観察される。一方、メインミラー１０１を透過した光束の一部は、サブミラー１０２で反射され、不図示の焦点検出ユニットに導かれる。ミラー１０１，１０２の後方にはシャッタ１０３が配置され、シャッタ１０３の後方には光学ローパスフィルタ（以下、ＯＬＰＦ）１が配置され、更にその後方にＣＣＤ等の撮像素子２が配置される。
【０００９】
撮影時には、ミラー１０１，１０２が跳ね上げられて撮影光路から退避するとともに、シャッタ１０３が開放され、光束１００はシャッタ１０３の開口およびＯＬＰＦ１を通って撮像素子２に入射する。撮像素子２はその受光面で光束を受け、受光光束に応じた電気的画像信号を出力し、不図示の画像処理回路が画像信号に種々の処理を施して画像データを生成する。生成された画像データはメモリカード等に記録される。
【００１０】
図２〜図６も参照して、撮像素子２およびＯＬＰＦ１を含む撮像ユニットの構造について詳述する。
撮像素子２は、その受光面の前面に保護ガラス２ｃを有し、裏面は固定部材４に接着等で固定されている。５は撮像素子２を実装する撮像基板であり、固定部材４の裏面にビス１０ａで固定される。ＯＬＰＦ１は、ゴム製のスペーサ３を挟んで保護ガラス２ｃの前側に配置される。
【００１１】
スペーサ３によって、ＯＬＰＦ１と保護ガラス２ｃとが直接接触せず、両者の有効領域間に空間ＳＰが形成される。したがって、組み込み時にＯＬＰＦ１や保護ガラス２ｃの傷付きが防止できる。また、スペーサ３を介在させることで、撮像素子２の受光面とＯＬＰＦ１の表面（撮影レンズ側の面、つまり光入射面）との距離を長くとることができる。ＯＬＰＦ１の表面にゴミが付着するとそれが画像に写り込んでしまうが、上記距離が長いほどゴミの像をぼかすことができ、画像の劣化を抑制できる。図５に示すように、スペーサ３は、撮影光束１００を透過させるための略矩形の開口ＯＰを有し、その周囲部分（被挟持部）３ａがＯＬＰＦ１および保護ガラス２ｃの非有効領域に挟まれる。
【００１２】
６は矩形環状の押さえ部材であり、ＯＬＰＦ１の表面側に配置される。 図４から分かるように、ＯＬＰＦ１の短手方向の両端には段差が設けられ、その段差部（低い部分）に押さえ部材６の長辺部分が接し、押さえ部材６の短辺部分はスペーサ３に接する。７は一対のばね部７ａを有するばね部材であり、ばね部７ａが押さえ部材６の短辺部を押圧する状態で４箇所がビス１０ｂにより固定部材４に螺着される。これによりＯＬＰＦ１，撮像素子２，スペーサ３，基板４等が一体化されて撮像ユニットが構成され、撮像ユニットはビス１０ｃによりカメラ本体１０４に固定される。
【００１３】
ＯＬＰＦ１および保護ガラス２ｃの各非有効領域は、ばね部材７のばね力によりスペーサの被挟持部３ａを４辺に渡って挟圧するため、被挟持部３ａは圧縮変形することで両部材１，２に密着し、空間ＳＰの密閉性が増す。したがって、撮像ユニットの組立後に外部から空間ＳＰへゴミが侵入する可能性は極めて低い。一方、組立時には、事前に各部品に対してゴミの除去作業を行うが、除去しきれなかった微細なゴミが空間ＳＰ内に封入され、これが組立後にＯＬＰＦ１や保護ガラス２ｃに付着するおそれはある。特にスペーサ３の被挟持部３ａの先端面３ａ１（図６）は空間ＳＰに面しているから、ここにゴミが付着したまま組み立てた場合には、そのゴミが空間ＳＰ内を浮遊してＯＬＰＦ１または保護ガラス２ｃに至り、画像を劣化させる可能性がある。
【００１４】
そこで本実施形態では、スペーサ３に粘着性を持たせることで、スペーサ３に付着したゴミの移動を阻止するようにした。粘着性を持たせるにあたっては、予め揮発性溶剤に接着剤を溶かし込んだ溶液を用意しておき、組立前にスペーサ全体をその溶液に浸漬するようにした。浸漬する時間は一瞬でよく、引き上げた後に揮発性溶剤は直ぐに揮発するが、接着剤による粘着性はスペーサ全体に残ることになる。この方法によれば、スペーサ３に粘着性を与える作業をごく短時間で行うことができ、作業効率がよい上に、揮発性溶剤を用いたため組立時に溶剤がしみ出してＯＬＰＦ１や撮像素子２に悪影響を与えることもない。勿論、スペーサ３の必要箇所にだけ接着剤を塗布したり、両面テープを貼り付けるなどしても良いが、いずれも手間がかかり、作業効率が悪い。
【００１５】
このようにスペーサ３に粘着性を持たせることで、組立前にスペーサ３のいずれにゴミが付着していた場合でも、そのゴミはそのまま捕捉されて浮遊することがなく、ＯＬＰＦ１の裏面や保護ガラス２ｃにゴミが至る可能性を低減できる。したがって、組立に先立ってスペーサ３を丹念に清掃する必要はなく、目に付くゴミのみ取り除けばよく、作業効率の向上が図れる。
【００１６】
またスペーサ３に粘着性を持たせることは、空間ＳＰ外部のゴミに対しても有効である。外部のゴミは、ＯＬＰＦ１の表面に付着することで画像の劣化をもたらし、このゴミは背景技術でも述べたように、カメラを清掃モードにすることでＯＬＰＦ１の表面から払い出すことができる。本実施形態では、ＯＬＰＦ１の長手方向の両端外側にスペーサ３の表面の一部３ｂが露出しており、この露出面３ｂはＯＬＰＦ１の表面よりも低い（撮像素子側に後退している）ので、清掃部材を用いてＯＬＰＦ１の表面に付着したゴミを露出面３ｂに容易に払い落とすことができる。露出面３ｂは粘着性を有しているから、ここに払い落とされたゴミはそのまま捕捉され、ＯＬＰＦ１の表面に舞い戻る可能性は低い。
【００１７】
因みに、特開２００３−１５６７８７号公報（引用文献１）のカメラにも粘着テープ等のゴミ捕捉部材が設けられているが、これはＯＬＰＦから離間して設けられているため、払い落とされたゴミが捕捉部材に至らずに他の位置に落ち、ＯＬＰＦ１の表面に舞い戻る可能性が高い。
【００１８】
なお、スペーサ３の粘着力は、ゴミの捕捉が目的なのでごく弱くてよい。粘着力が強過ぎると、撮像ユニットの組立に支障を来したり、傷ついた部品の交換を行う際に分解できず、ユニットごと交換しなければなくなり、コストアップとなる。したがって、十分なゴミ捕捉能力がある一方で、組立／分解作業に支障を来さない程度の粘着力とする必要がある。言うまでもなく、その粘着性はある程度長期に渡って効力を発揮し得るものでなければならない。
【００１９】
なお、スペーサ３に加えて、押さえ部材６やばね部材７にも粘着性を持たせても良い。また撮影レンズと撮像素子との間に配置される光学部材はローパスフィルタに限定されない。さらに接着剤を用いず、 もともと粘着性を有する材質のゴムにてスペーサを構成しても良い。また、ＯＬＰＦの表面に付着したゴミを払い落とす箇所（粘着性を有する箇所）はスペーサに限定されない。
【図面の簡単な説明】
【００２０】
【図１】一実施形態における電子カメラの側面断面図。
【図２】電子カメラの撮像ユニットを光軸前方から見た平面図。
【図３】図２のIII−III線断面図。
【図４】図２のIV−IV線断面図。
【図５】撮像ユニットを構成するスペーサを示す斜視図。
【図６】撮像素子の保護ガラス、光学ローパスフィルタおよびスペーサの一部を示す拡大断面図。
【符号の説明】
【００２１】
１  光学ローパスフィルタ（ＯＬＰＦ）
２  撮像素子
２ｃ  保護ガラス
３  スペーサ
３ａ  被挟持部
３ａ１  被挟持部の先端面
３ｂ  露出面
４  固定部材
５  撮像基板
６  押さえ部材
７  ばね部材
１０３  シャッタ
１０７  撮影レンズ
ＳＰ  ＯＬＰＦと保護ガラスとの間の空間
【図１】
2005217546.tif 000003
【図２】
2005217546.tif 000004
【図３】
2005217546.tif 000005
【図４】
2005217546.tif 000006
【図５】
2005217546.tif 000007
【図６】
2005217546.tif 000008